(57)【要約】【課題】反射型構成において、大光束化および装置小型化に対応可能であり、電気的安定性およびＬＥＤ熱の放熱性を備えた発光効率のよい高演色性、あるいは高色再現性を実現する発光装置を得ることを目的とする。【解決手段】表面にＬＥＤチップが実装された熱伝導性のＬＥＤパッケージ基板４０と、ＬＥＤパッケージ基板４０が実装されたフレキシブル基板５０と、高反射率特性の凹部形状表面を有する筐体本体１０と、ＬＥＤパッケージ基板４０上のＬＥＤチップの発光方向が凹部形状表面に向くように筐体本体１０に固定される放熱性の筐体背面板３０とを備え、ＬＥＤパッケージ基板４０は、背面端部の背面導電パタンがフレキシブル基板５０と接続され、背面導電パタンを有さない背面中央部が筐体背面板３０と面接触される。【選択図】図１
2007273972.tif 000002
【特許請求の範囲】
【請求項１】
表面にＬＥＤチップが実装された熱伝導性のＬＥＤパッケージ基板と、
前記ＬＥＤパッケージ基板が実装され、前記ＬＥＤチップに外部電源を供給するフレキシブル基板と、
高反射率特性の凹部形状表面を有する筐体本体と、
前記ＬＥＤパッケージ基板が実装された前記フレキシブル基板が取り付けられ、前記ＬＥＤパッケージ基板上の前記ＬＥＤチップの発光方向が前記凹部形状表面に向くように前記筐体本体に固定される放熱性の筐体背面板と
を備えた発光装置であって、
前記ＬＥＤパッケージ基板は、背面端部に背面導電パタンを有し、前記背面導電パタンが前記フレキシブル基板と接続され、前記背面導電パタンを有していない背面中央部が前記筐体背面板と面接触されるように構成される
ことを特徴とする発光装置。
【請求項２】
請求項１に記載の発光装置において、
前記筐体背面板は、前記フレキシブル基板以上の厚みの段差を有し、前記ＬＥＤパッケージ基板の前記背面と面接触する突出部を有することを特徴とする発光装置。
【請求項３】
請求項２に記載の発光装置において、
前記筐体背面板の前記突出部は、熱伝導性材料を介して前記ＬＥＤパッケージ基板の前記背面と面接触することを特徴とする発光装置。
【請求項４】
請求項１ないし３のいずれか１項に記載の発光装置において、
前記フレキシブル基板は、前記ＬＥＤチップの発光方向と逆の面に回路部品および電源端子を有し、前記回路部品および前記電源端子が前記筐体本体の外側に向けて取付けられるように構成されることを特徴とする発光装置。
【請求項５】
請求項４に記載の発光装置において、
前記フレキシブル基板は、両面実装基板であり、一方の面に前記ＬＥＤパッケージ基板を実装し、他方の面に前記回路部品および前記電源端子を実装し、前記ＬＥＤパッケージ基板が実装された前記一方の面の裏側に対応する前記他方の面の部分を絶縁処理したこと
を特徴とする発光装置。
【請求項６】
請求項１ないし５のいずれか１項に記載の発光装置において、
前記フレキシブル基板は、前記筐体背面板と前記筐体本体との間に挟み込まれて固定されるように構成されることを特徴とする発光装置。
【請求項７】
請求項１ないし６のいずれか１項に記載の発光装置において、
前記フレキシブル基板は、少なくとも前記回路部品実装部分の背面が、熱伝導性の接着部材を介して前記筐体背面板あるいは前記筐体本体に取付けられることを特徴とする発光装置。
【請求項８】
請求項１ないし７のいずれか１項に記載の発光装置において、
前記筐体本体は、前記ＬＥＤパッケージ基板の表面を押さえつける基板固定部を有することを特徴とする発光装置。
【請求項９】
請求項１ないし８のいずれか１項に記載の発光装置において、
前記フレキシブル基板は、前記ＬＥＤパッケージ基板を着脱可能とするソケットを有することを特徴とする発光装置。
【請求項１０】
請求項１ないし９のいずれか１項に記載の発光装置において、
前記ＬＥＤパッケージ基板の背面に廃熱用の放熱フィンをさらに備えたことを特徴とする発光装置。
【請求項１１】
請求項１ないし１０のいずれか１項に記載の発光装置において、
前記フレキシブル基板は、前記筐体背面板を前記筐体本体に取り付けた状態で、前記凹部形状表面に対向して露出する部分を、絶縁性の高反射率材料で表面形成したことを特徴とする発光装置。
【請求項１２】
請求項１ないし１１のいずれか１項に記載の発光装置において、
前記ＬＥＤチップは、発光色が紫、青紫、青色のうちいずれかの光色であることを特徴とする発光装置。
【請求項１３】
請求項１ないし１２のいずれか１項に記載の発光装置において、
前記筐体本体は、ＬＥＤ発光光に励起して波長変換を行う波長変換材料を前記凹部形状表面に有することを特徴とする発光装置。
【請求項１４】
請求項１ないし１３のいずれか１項に記載の発光装置において、
前記ＬＥＤパッケージ基板は、ＬＥＤ実装面およびリフレクタ部分が鏡面反射性材料で形成されたセラミック基板であり、基板側面に設けられた電気接続部を介して前記ＬＥＤ実装面が前記背面導電パタンと電気的に接続されることを特徴とする発光装置。
【請求項１５】
請求項１４に記載の発光装置において、
前記セラミック基板は、実装された前記ＬＥＤチップをシリコーン材料で封止したことを特徴とする発光装置。
【請求項１６】
請求項１５に記載の発光装置において、
前記セラミック基板は、前記ＬＥＤチップの封止部を除く表面を高反射率材料で形成したことを特徴とする発光装置。
【請求項１７】
請求項１ないし１６のいずれか１項に記載の発光装置において、
前記ＬＥＤパッケージ基板は、複数のＬＥＤチップが実装されたキャビティを複数有し、キャビティ間のそれぞれのＬＥＤチップを複数の直列ラインにより電気的に直列連結する構成を備えることを特徴とする発光装置。
【請求項１８】
請求項１７に記載の発光装置において、
前記フレキシブル基板は、前記複数の直列ラインのそれぞれに接続される制限抵抗が実装されることを特徴とする発光装置。
【請求項１９】
請求項１７または１８に記載の発光装置において、
前記ＬＥＤパッケージ基板の複数キャビティ内のそれぞれに実装される前記複数のＬＥＤチップは、前記ＬＥＤパッケージ基板に対向する前記凹部形状表面に対して上下方向となるように各キャビティ内に並べて実装されることを特徴とする発光装置。
【請求項２０】
請求項１７または１８に記載の発光装置において、
前記ＬＥＤパッケージ基板の複数キャビティ内のそれぞれに実装される前記複数のＬＥＤチップは、前記ＬＥＤパッケージ基板に対向する前記凹部形状表面に対して上部方向に配置されるＬＥＤチップを左右方向に並べることにより、上部方向に行くほど配置密度を密にして実装されることを特徴とする発光装置。
【請求項２１】
請求項１ないし２０のいずれか１項に記載の発光装置において、
前記筐体本体の前記凹部形状表面は、前記筐体背面板に近い部分に当たる第１の湾曲部と、前記筐体背面板から遠い部分に当たる第２の湾曲部と、前記第１の湾曲部と前記第２の湾曲部との間の平坦部とを含み、表面に角を持たない形状を有し、前記第２の湾曲部の湾曲面積が前記第１の湾曲部の湾曲面積に対して同等以上となるように構成されることを特徴とする発光装置。
【請求項２２】
請求項１ないし２０のいずれか１項に記載の発光装置において、
前記筐体本体の前記凹部形状表面は、前記筐体背面板に近い部分に当たる第１の湾曲部と、前記筐体背面板から遠い部分に当たる第２の湾曲部と、前記第１の湾曲部と前記第２の湾曲部との間の平坦部とを含み、表面に角を持たない形状を有し、前記第２の湾曲部の曲率が前記第１の湾曲部の曲率より小さくなるように構成されることを特徴とする発光装置。
【請求項２３】
請求項１ないし２０のいずれか１項に記載の発光装置において、
前記筐体本体の前記凹部形状表面は、前記凹部形状表面で反射した光が外部に発光される前記筐体本体の上部面上に中心を有する半円状または放物線上の表面形状を有し、
前記ＬＥＤパッケージ基板は、前記ＬＥＤチップの発光方向が前記凹部形状表面の凹部最深部に向き、前記ＬＥＤチップから前記最深部までの距離が、前記最深部から前記上部面までの距離と略同一となるように配置される
ことを特徴とする発光装置。
【請求項２４】
請求項１ないし２０のいずれか１項に記載の発光装置において、
前記筐体本体の前記凹部形状表面は、前記筐体背面板から遠い部分に、前記凹部形状表面で反射した光が外部に発光される前記筐体本体の上部面に向けて、前記ＬＥＤチップの発光方向と交差しない立ち上がり平面または急峻な湾曲面を有することを特徴とする発光装置。
【請求項２５】
請求項１３に記載の発光装置において、
前記波長変換材料は、前記ＬＥＤチップを励起光として波長変換を行う蛍光体と、前記蛍光体をバインドするバインド材料とを含むことを特徴とする発光装置。
【請求項２６】
請求項２５に記載の発光装置において、
前記波長変換材料は、前記蛍光体の一部がバインドされた凹凸面を表面に備えることを特徴とする発光装置。
【請求項２７】
請求項２５または２６に記載の発光装置において、
前記波長変換材料に含まれる前記蛍光体は、粒子径が異なる複数の発光体を含むことを特徴とする発光装置。
【請求項２８】
請求項２７に記載の発光装置において、
前記波長変換材料に含まれる前記蛍光体は、赤色蛍光体とその他の蛍光体とを含み、前記赤色蛍光体の粒子径が前記他の蛍光体の粒子径よりも大きいことを特徴とする発光装置。
【請求項２９】
請求項２７または２８に記載の発光装置において、
前記波長変換材料は、粒子径が大きい蛍光体を下層として密に配置し、粒径の小さい蛍光体を前記粒子径が大きい蛍光体の間に配置するように構成されることを特徴とする発光装置。
【請求項３０】
請求項２５ないし請求項２９のいずれか１項に記載の発光装置において、
前記波長変換材料は、前記蛍光体の最大粒子径の１．５〜２倍の寸法の筐体微細凹部を表面にさらに備えることを特徴とする発光装置。
【請求項３１】
請求項２５ないし請求項３０のいずれか１項に記載の発光装置において、
前記筐体本体の前記凹部形状表面は、高反射加工処理を施した溝深さ数十〜数百μｍの複数の細かい凹部を有し、前記複数の細かい凹部に前記波長変換材料が配置されることを特徴とする発光装置。
【請求項３２】
請求項２５ないし請求項３１のいずれか１項に記載の発光装置において、
前記筐体本体の前記凹部形状表面は、前記ＬＥＤチップの発光方向と交わる表面領域において前記波長変換材料の敷設密度が最小となり、前記表面領域から遠ざかるにしたがって前記波長変換材料の敷設密度が大きくなるように構成されることを特徴とする発光装置。
【請求項３３】
請求項２５ないし請求項３２のいずれか１項に記載の発光装置において、
前記筐体本体の前記凹部形状表面は、複数領域に分割され、分割された前記複数領域に、それぞれ異なる波長変換材料、または蛍光体混合比の異なる同一の波長変換材料、または蛍光体混合比の異なる同一の波長変換材料からなる複数の異なる波長変換材料により構成されることを特徴とする発光装置。
【発明の詳細な説明】
【技術分野】
【０００１】
本発明は、例えば、紫外線や青紫、あるいは青色の光色を発する発光ダイオード（ＬＥＤ：Ｌｉｇｈｔ  Ｅｍｉｔｔｉｎｇ  Ｄｉｏｄｅ）などの半導体発光素子を用いた発光装置に関する。
【背景技術】
【０００２】
現在、ＬＥＤを用いた多くの発光装置の提案がなされている。しかしながら、ＬＥＤパッケージアレイを励起光源とし、発光装置内部にその励起光源により励起する蛍光面を備えた発光装置は数少ない。反射型の発光装置は、励起光に対して蛍光変換部を透過的に用いて波長変換を行う透過型に比較して、その蛍光面の設計自由度が高く、発光の面で高効率な構成とすることが可能である（非特許文献１参照）。さらに、一部放熱性を考慮した反射型ＬＥＤ発光装置の構成も提案されている（例えば、特許文献１参照）。
【０００３】
【非特許文献１】高効率電光変換化合物半導体開発（２１世紀のあかり計画）成果報告書（平成１４年度ｐ２３８）新エネルギー・産業技術総合開発機構（ＮＥＤＯ）委託研究、金属系材料研究開発センター１５年３月）
【特許文献１】国際公開０５／０５５３２８号パンフレット
【発明の開示】
【発明が解決しようとする課題】
【０００４】
しかしながら、従来技術には次のような課題がある。一般的に、複数のＬＥＤチップが直並列に高密度実装されたＬＥＤ発光装置では、ＬＥＤチップ放熱路がしっかりと確保されないと、ＬＥＤジャンクション温度の上昇に伴って発光効率が低下するとともに、装置自体の短寿命化を招くという課題を有している。例えば、あるパッケージＬＥＤでは、１０°Ｃ上昇で１０％程度の発光効率ダウンを招くものもある。さらに、電流制限抵抗などを含む周辺回路部品を用いて、複数のＬＥＤへの安定した電源供給を行い、光出力の安定性を備えることが要求される。
【０００５】
また、透過型に比較して構成の複雑な反射型構成においては、前記特許文献含め、これまで、必ずしも光出力に影響する電気的安定性、およびＬＥＤ発生熱の放熱性の両面を十分確保、実現する具体構成は示されてはいなかった。
【０００６】
本発明は上述のような課題を解決するためになされたもので、反射型構成において、大光束化（すなわち、大電力投入）、および装置小型化に対応可能であり、電気的安定性およびＬＥＤ熱の放熱性を備えた発光効率のよい高演色性、あるいは高色再現性を実現する発光装置を得ることを目的とする。
【課題を解決するための手段】
【０００７】
本発明に係る発光装置は、表面にＬＥＤチップが実装された熱伝導性のＬＥＤパッケージ基板と、ＬＥＤパッケージ基板が実装され、ＬＥＤチップに外部電源を供給するフレキシブル基板と、高反射率特性の凹部形状表面を有する筐体本体と、ＬＥＤパッケージ基板が実装されたフレキシブル基板が取り付けられ、ＬＥＤパッケージ基板上のＬＥＤチップの発光方向が凹部形状表面に向くように筐体本体に固定される放熱性の筐体背面板とを備えた発光装置であって、ＬＥＤパッケージ基板は、背面端部に背面導電パタンを有し、背面導電パタンがフレキシブル基板と接続され、背面導電パタンを有していない背面中央部が筐体背面板と面接触されるように構成されるものである。
【発明の効果】
【０００８】
本発明によれば、ＬＥＤパッケージ基板の背面端部をフレキシブル基板に接続させるとともに、背面端部以外の背面中央部を筐体と面接触させることにより、反射型構成において、大光束化（すなわち、大電力投入）、および装置小型化に対応可能であり、電気的安定性およびＬＥＤ熱の放熱性を備えた発光効率のよい高演色性、あるいは広い色再現性を実現する発光装置を得ることができる。
【発明を実施するための最良の形態】
【０００９】
以下、本発明の発光装置の好適な実施の形態につき図面を用いて説明する。
本装置は、広い拡散面で発光するため、従来ＬＥＤの微小発光源に比して不快グレアや減能グレアの少ない装置とすることができる。このような効果を有する本装置の用途は広く、表示用（サイン灯や液晶バックライト）や照明用として、例えば直射照明や間接照明、内照型面照明、あるいは導光板を用いたサイドライト型面照明用の照明器具に組込み使用することができる。
【００１０】
実施の形態１．
図１は、本発明の実施の形態１における発光装置の全体構成図である。この図１において、（ａ）は、部品構成図、（ｂ）は、組上げ時の前方斜視図、そして、（ｃ）は、組上げ時の後方斜視図を示している。
【００１１】
また、図２は、本発明の実施の形態１における発光装置の上面図、断面図、および背面図を示したものである。この図２において、（ａ）は、発光装置の上面図である。また、（ｂ）および（ｃ）は、それぞれ図２（ａ）のＩ−Ｉ’断面図およびＩＩ−ＩＩ’断面図である。さらに、（ｄ）は、筐体背面板側から見た背面図である。
【００１２】
本発明の発光装置は、筐体本体１０、側板２０、筐体背面板３０を備えた筐体部、発光源であるＬＥＤを備えた熱伝導性のＬＥＤパッケージ基板４０、およびＬＥＤパッケージ基板４０が実装されるフレキシブル基板５０を主な構成要素とする。
【００１３】
筐体本体１０は、ＬＥＤパッケージ基板４０からの発光光を励起光とし、波長変換を可能とする波長変換材料１２を表面に有する筐体凹部１１（凹部形状表面に相当）を有している。また、側板２０も、その内側表面に波長変換材料１２を有している。
【００１４】
さらに、筐体背面板３０には、ＬＥＤパッケージ基板４０が実装されたフレキシブル基板５０が取り付けられる。ここで、筐体背面板３０は、放熱性を有しているとともに突出部３１を備えており（図１（ａ）参照）、この突出部３１は、後で詳述されるＬＥＤパッケージ基板４０の背面と面接触する部分となる。
【００１５】
また、フレキシブル基板５０は、ＬＥＤパッケージ基板４０内のＬＥＤに供給される電流の制限用抵抗であるチップ抵抗５１と、ＬＥＤパッケージ基板４０への電源供給を行うための電源端子５２とを備えている（図２（ｄ）参照）。
【００１６】
そして、このフレキシブル基板５０は、止め具３３によって、筐体背面板３０と筐体本体１０との間に挟み込まれるようにして固定される（図２（ｂ）参照）。また、筐体本体１０の上部には、筐体凹部で波長変換された光を透過する表面透過板１４が取り付けられる（図２（ｂ）参照）。さらに、側板２０を、止め口１３を利用して取り付ける（図２（ａ）参照）ことにより、発光装置が構成される。
【００１７】
次に、ＬＥＤパッケージ基板４０の詳細について説明する。図３は、本発明の実施の形態１におけるＬＥＤパッケージ基板４０の構成を示す断面図である。ＬＥＤパッケージ基板４０は、リフレクタ４１ａ、表面導電パタン４１ｂ、電気接続部４１ｃおよび背面導電パタン４１ｄを含むＬＥＤ実装基板４１上に、ＬＥＤチップ４２を実装し、さらに封止樹脂４３でモールドされた構成を有している。
【００１８】
ＬＥＤ実装基板４１は、表面反射率が比較的高く熱伝導性のよいアルミナセラミック材料と導電材料との積層構造とし、リフレクタ４１ａ、表面導電パタン４１ｂ、および電気接続部４１ｃが通電するような構成としている。
【００１９】
このＬＥＤ実装基板４１の別の構成例として、より熱伝導率の高い窒化アルミセラミックを主材とすることで、さらに優れた放熱性装置を実現することができる。ただし、窒化アルミ自体は、表面反射率が低いため、表面に高反射材料を形成して用いることで、光吸収の少ない（すなわち、装置発光効率向上に寄与する）構成として使用することが可能である。また、放熱性を確保する基板として、セラミック以外にアルミや銅をベースとした金属基板を用いてもよい。
【００２０】
この場合、リフレクタ４１ａ内表面材料は、高いＬＥＤ発光効率を維持するため放熱性でかつ鏡面性のある材料で形成する。銅や金などでも構わないが、励起ＬＥＤ光の吸収を少なくする部材で形成することが望ましく、例えば、短波長ＬＥＤに対しても比較的高い反射特性を有している銀やアルミニウムなどで形成する。本実施の形態においては銀で形成している。また、別の形態として、表面導電パタン４１ｂを、絶縁層を設けたアルミ板表面上に形成し、その表面の必要部分を絶縁、さらにその上にＬＥＤを囲むようにリフレクタを形成した金属ベース基板で構成しても、同様に放熱性の効果を有することが可能である。
【００２１】
ＬＥＤチップ４２（ここではフリップチップＬＥＤ）は、リフレクタ４１ａ底面に実装され、リフレクタ４１ａ内部を、ＬＥＤチップ４２を覆うように封止樹脂４３でドーム状に封止している。ここで、ＬＥＤチップ４２自体は、ノーマル／ラージ、あるいは、フェースアップ／フリップチップの種別を限定するものではない。
【００２２】
フリップチップ実装の際には、例えば、ＬＥＤと基板とをバンプを介した超音波接合などにより電気的に接続する。また、実装を行った後に、接続強度を高めるとともに封止樹脂４３中への気泡混入を防ぐなどの目的でアンダーフィル剤を充填し、さらに樹脂モールドを行うような形態としてもよい。
【００２３】
次に、図４は、本発明の実施の形態１におけるＬＥＤパッケージ基板４０の実装例を示す図である。図４（ａ）は、ＬＥＤ実装基板４１の上面図であり、ＬＥＤ実装基板４１は、５つのリフレクタ４１ａを有するように形成されている。さらに、ＬＥＤ実装基板４１の端部には、背面導電パタン４１ｄとの接続を行う電気接続部４１ｃが設けられている。
【００２４】
図４（ｂ）は、導電パタンとＬＥＤの第１の実装例を示すものである。具体的には、１つのリフレクタ４１ａの内部に３つのＬＥＤチップ４２を実装し、リフレクタ４１ａ内のそれぞれのＬＥＤチップ４２を直接接続として、やや高い密度で実装（ＬＥＤ５直列３並列、□０．３５ｍｍ程度のレギュラーチップでトータル約１（Ｗ）程度の入力）した場合を示している。
【００２５】
さらに、図４（ｃ）は、ＬＥＤ実装基板４１の背面図である。図４（ｃ）に示すように、ＬＥＤ実装基板４１の背面には、端部にのみ背面導電パタン４１ｄを形成して電気接続部４１ｃを介して表面導電パタン４１ｂと電気的に接続されるとともに、背面端部以外の背面には背面導電パタン４１ｄを設けない構成としている。
【００２６】
また、図４（ｄ）は、導電パタンとＬＥＤの第２の実装例を示すものである。背面導電パタン４１ｄは、図４（ｃ）と同じである。そして、この背面導電パタン４１ｄを設けない背面中央部が、図１（ａ）に示した突出部３１と直接、面接触することとなる。このような構成を有することにより、本発明におけるＬＥＤパッケージ基板４０は、ＬＥＤ入力に対して現状７〜８割程度の比率で発生するＬＥＤ発生熱を、放熱性基板であるＬＥＤ実装基板４１の裏側の広い領域を通して外部に放熱することを可能としている。
【００２７】
図５は、本発明の実施の形態１における図４の構成を有するＬＥＤ実装基板４１に対応する回路構成図である。図５において、点線部で示された部分は、ＬＥＤ実装基板４１の一つのリフレクタ内の３つのＬＥＤチップ４２のグループを示しており、チップ抵抗５１は、フレキシブル基板５０に実装されるＬＥＤ電流制限用の抵抗である。
【００２８】
次に、ＬＥＤパッケージ基板４０に対する電源供給回路について説明する。図６は、本発明の実施の形態１におけるＬＥＤパッケージ基板４０へ電源供給を行うためのフレキシブル基板５０の構成図である。図６に示すように、フレキシブル基板５０は、ＬＥＤ実装基板４１の背面端部に設けられた背面導電パタン４１ｄと接続されるとともに、ＬＥＤ実装基板４１の背面中央部に対応する部分には、フレキシブル基板５０が存在せず、背面中央部が解放される状態となるように凹形状を有している。
【００２９】
そして、このフレキシブル基板５０の凹形状を有している部分に対応して、先の図１あるいは図２に示されている、筐体背面板３０の突出部３１は、フレキシブル基板５０以上の厚みの段差で突出する形状を有している。従って、ＬＥＤ実装基板４１を実装したフレキシブル基板５０を、放熱性の筐体背面板３０に取り付けることにより、ＬＥＤ実装基板４１の背面中央部は、フレキシブル基板５０を介さずに直接、突出部３１と面接触することとなる。
【００３０】
さらに、このフレキシブル基板５０上には、ＬＥＤチップ４２の各直列分の電流制限を行うチップ抵抗５１、ＬＥＤパッケージ基板４０への電源供給を行う電源端子５２、および回路導電パタン５３が形成されている。
【００３１】
このようなフレキシブル基板５０を用いることで、図１に示した反射型発光装置のような複雑な形態に対しても、ＬＥＤ実装基板４１の放熱性を考慮した組込み装着が可能となる。さらに、制限抵抗（チップ抵抗５１）を実装しているため、個々のＬＥＤに順電圧バラツキがあったとしても、各直列ＬＥＤへの分流比をおよそ等しくすることができ、安定点灯を図ることが可能となる。
【００３２】
さらに、このように放熱性と光出力安定性に優れた構造を有することにより、これを１つの光源エレメントとして複数エレメントを用い、大光束型光源として使用することも可能である。
【００３３】
さらに、チップ抵抗５１の実装方法によっても、放熱性を改善することが可能である。図７は、本発明の実施の形態１におけるフレキシブル基板５０上に実装されたチップ抵抗５１およびＬＥＤ実装基板４１の配置を示す図である。図７に示すように、フレキシブル基板５０上には、ＬＥＤパッケージ基板４０の発光側の向きと、チップ抵抗５１表面の向きとが相反する方向になるように、チップ抵抗５１およびＬＥＤ実装基板４１が実装されている。このようなフレキシブル基板５０を、ＬＥＤパッケージ基板４０の下部を折り曲げたような形態で、筐体本体１０と背面金属板からなる放熱性の筐体背面板３０とで挟み込むように設置する（図２（ｂ）参照）。
【００３４】
この際、筐体背面板３０には、図２に示したような開口部３２が設けられており、ちょうどフレキシブル基板５０上のチップ抵抗５１および電源端子５２が大気中（本装置筐体外側）に置かれるように構成されている。チップ抵抗５１は、電流が流れる際に発熱するが、このような開口部３２を備えた構成をとることにより、発生した熱が装置内部に放たれることなく、効率よく外部に放出されることとなる。したがって、チップ抵抗５１の周辺からの発熱によるＬＥＤチップ４２自体の温度上昇を防ぐことができ、発光効率を高く維持することが可能である。
【００３５】
また、筐体本体１０を金属材料など熱伝導性のよいもので形成し、さらに、フレキシブル基板５０上のチップ抵抗５１の実装部分の背面に該当する面を、熱伝導性グリスや熱伝導性の両面シールなどにより筐体本体１０と密着させる構成をとることができる。これにより、チップ抵抗５１の熱を大気中のみならず装置筐体へも逃がすことができ、大電流駆動時においても、温度的に安定した発光装置を得ることができる。
【００３６】
この際、フレキシブル基板５０は、筐体背面板３０の開口部３２よりも大きな面積を有するよう形成しておくことで、筐体本体１０と放熱性の筐体背面板３０との間に挟み込む形で固定することが可能である。
【００３７】
なお、ＬＥＤパッケージ基板４０のフレキシブル基板５０への実装は、図７（ａ）のように、フレキシブル基板５０上の電気回路パタンを基板両面に形成し、ＬＥＤパッケージ基板４０の背面導電パタン４１ｄとフレキシブル基板５０とを接続する構成とすることができる。
【００３８】
あるいは、図７（ｂ）のように、フレキシブル基板５０上の回路パタンを基板片面で形成し、ＬＥＤパッケージ基板４０の表面導電パタン４１ｂの端部とフレキシブル基板５０とを接続する構成とすることもできる。そして、何れの構成においても同じ効果を得ることができる。
【００３９】
なお、何れの構成においても、筐体背面板３０を金属体で形成した場合には、フレキシブル基板５０上のＬＥＤ実装基板４１の端子部分の背面部は、筐体背面板３０との接触によるショートを防ぐため、絶縁処理するように形成されている。
【００４０】
また、上述したように、放熱性の筐体背面板３０は、少なくともフレキシブル基板５０以上の厚みを有する突出部３１を有しており、この突出部３１に、フレキシブル基板５０に実装されたＬＥＤパッケージ基板４０の背面中央部が面接触するように取付ける。図８は、本発明の実施の形態１におけるＬＥＤ実装基板４１と突出部３１との面接触の説明図である。図８において、ＬＥＤ実装基板４１は、中間層に薄手の熱伝導性両面接着シール６０を介して突出部３１と接続されるように形成されている。
【００４１】
放熱効率向上のためには、ＬＥＤ実装基板４１と突出部３１との間に空気層を設けないようにすることが理想である。そこで、中間媒体としては、熱伝導性両面接着シール６０の他に、熱伝導グリスを用い、筐体凹部１１の内側にＬＥＤパッケージ基板固定部１５などを設け、ＬＥＤパッケージ基板４０を押さえつけ固定するような構成としてもよい（図２（ｃ）参照）。
【００４２】
本構成では、発光装置の使用時の方向（凹部が横向きなら横発光、凹部が下向きなら通常照明のような下面発光）によらず、ＬＥＤを電流駆動した際に発生する熱を、ＬＥＤパッケージ基板４０および薄手の熱伝導性材料（熱伝導性両面接着シール６０）を通して、筐体背面板３０へ放熱する放熱路を確保することができる。
【００４３】
モジュール筐体主材を約３０×２３×１３（ｍｍ）のアルミ材料、ＬＥＤパッケージ基板４０の主材を約２４×４×０．８ｍｍのアルミナ基板、筐体背面板３０の厚さを３ｍｍ（最大厚さ７ｍｍ）として、本発明による発光装置を実際に試作し、温度特性測定を実施した。室温２７°Ｃで、ＬＥＤ標準定格電流時にＬＥＤチップ４２を含むリフレクタ４１ａ内部の平均で４６°Ｃ、アルミナ基板上面で５２°Ｃ、アルミ筐体背面板３０裏側で５４°Ｃとなり、ＬＥＤ周辺温度上昇を抑えた良好な熱的特性を得ることができた。
【００４４】
以上のような構成にすることにより、ＬＥＤチップ４２の温度上昇による発光効率低下を抑える発光装置を得ることができる。さらに、ＬＥＤ実装密度が高い状態においても、効率よくＬＥＤ熱を外部に放出することができる。これにより、発光効率を高く維持するとともに、長寿命化を実現する発光装置を得ることが可能となる。
【００４５】
さらに、電流制限抵抗（チップ抵抗５１）も装置内部にその熱がこもらないような構成として組込んでいるため、個々のＬＥＤ電圧バラツキによる点灯むら（光強度むら）や、電源変動に依存した光変動を抑制することができる。この結果、光安定性を実現するとともに、ＬＥＤチップの周囲温度上昇を防ぐことができ、駆動電流が大きくなる場合にも、高効率安定発光を実現することができる。
【００４６】
また、図１（ｂ）あるいは（ｃ）のように発光装置として組み上がった状態で、筐体凹部１１の表面に対向して露出するフレキシブル基板５０の表面は、高反射率表面絶縁の鏡面とするか、あるいは、拡散面仕上げ、さらには凹部内と同じ波長変換を行う波長変換面とすることができる。これにより、フレキシブル基板５０での光吸収、およびフレキシブル基板５０を透過しての光漏れを抑えることができる。鏡面、拡散面、あるいは波長変換面形成は、シート状のものを貼り付けるような構成、あるいは塗布加工等で実現可能であり、本構成より発光効率の高い発光装置を得ることができる。
【００４７】
また、図９は、本発明の実施の形態１におけるＬＥＤ実装基板４１と突出部３１との面接触の別の説明図である。フレキシブル基板５０とＬＥＤパッケージ基板４０との接続は、図９に示すように、あらかじめフレキシブル基板５０にソケット５４を実装しておき、ソケット５４に対してＬＥＤパッケージ基板４０を着脱する形態としてもよい。
【００４８】
図９の構成とすれば、フレキシブル基板５０上に実装されるＬＥＤパッケージ基板４０の着脱が容易となり、点灯不具合や長時間使用した際には、ＬＥＤパッケージ基板４０のみを交換することができ、保守性に優れた発光装置とすることができる。
【００４９】
また、本発光装置の開口部３２の厚み部分を電源端子５２以上の厚みとしておくことで（図２（ａ）参照）、前述したように、本発光装置を光源エレメントとして複数重ねて使用することや、筐体背面板３０を背中合わせとするなど密接させ大光束発光装置として連結使用することもできる。
【００５０】
たとえば、１つの発光装置を１つのモジュールとして重ね合わせて使用する際に、筐体背面板３０および筐体本体１０を熱伝導性の高い、たとえばアルミ材や銅材などを用いて形成する。これにより、ＬＥＤチップ４２の発生熱の放熱路を広げることができ、複数モジュールからなる照明装置として使用する場合にも、放熱性のよい形態として用いることが可能となる。
【００５１】
また、筐体背面板３０の裏側に放熱フィンを備えることで、さらに放熱効果を有し、ＬＥＤ発熱によるＬＥＤ自身の温度上昇を抑制し、発光効率を維持しつつ長寿命化を実現する発光装置を得ることができる。また、必要に応じ、冷却ファンと組み合わせて本発光装置利用のアプリケーション形態をとることで、さらに放熱性のよい大型面照明装置を得ることが可能である。
【００５２】
本発光装置の構成において、ＬＥＤチップ４２として紫、青紫、青の発光色（波長域で３７０〜４６０ｎｍ程度）を発するものを用いた場合には、波長変換材料１２としては、近紫外から青色の領域において励起する複数色の蛍光材料を用いることができる。そして、これらの蛍光材料の組合せにより、表示用としての色再現性を広くするＲＧＢ３色発光型の波長変換、あるいは、さらに他蛍光色も加えた広い可視光域の連続波長を有する高演色性の波長変換が可能になる。
【００５３】
したがって、本発光装置の構成により、高演色性あるいは広い色再現性の質の高い光を発する発光装置を実現することができる。この際、波長変換材料は、例えば、蛍光体とそれをバインドする樹脂材料とで形成し、その背面に高反射層を設けるような構成として実現する。この詳細については、実施の形態２で詳述する。
【００５４】
蛍光体は、ＬＥＤチップに青色ＬＥＤを用いる場合には、例えば、ＹＡＧ系やシリケート系の黄色蛍光体、窒化物系や酸化物系の赤色あるいは緑色蛍光体などを用いて構成する。紫や青紫色ＬＥＤチップを用いる場合には、それら短波長発光領域に励起帯域を持つようなもので構成する。
【００５５】
より具体的には、赤色蛍光体として、Ｙ２Ｏ２Ｓ：Ｅｕ、Ｌａ２Ｏ２Ｓ：Ｅｕ、ＬｉＷ２Ｏ８：Ｅｕ、Ｓｍ、（Ｓｒ、Ｃａ、Ｂａ、Ｍｇ）１０（ＰＯ４）６Ｃｌ２：Ｅｕ、Ｍｎ、Ｂａ３ＭｇＳｉ２Ｏ８：Ｅｕ、Ｍｎ、緑色蛍光体として、ＺｎＳ：Ｃｕ、Ａｌ、ＢａＭｇＡｌ１０Ｏ１７：Ｅｕ、Ｍｎ、ＳｒＡｌ２Ｏ４：Ｅｕ、青色蛍光体として（Ｓｒ、Ｃａ、Ｂａ、Ｍｇ）１０（ＰＯ４）６Ｃｌ２：Ｅｕ、（Ｂａ、Ｓｒ）ＭｇＡｌ１０Ｏ１７：Ｅｕ、（Ｓｒ、Ｂａ）３ＭｇＳｉ２Ｏ８：Ｅｕなどを用いて蛍光変換部を構成することにより、所望の相関色温度や黒体軌跡からの偏差を実現することができる。また、蛍光体の発光色を問わず、短波長に励起域を有するシリケート系蛍光体も適用可能である。
【００５６】
この際、ＬＥＤの封止樹脂４３として、エポキシ材料と比較して短波長の吸収が低いシリコーン材料を用いることで、長時間使用の際にも、発光装置の発光色の色変化（黄変）を抑えることが可能である。また、このシリコーン材料は、熱的特性も良好であるため、ＬＥＤ実装基板４１への封止樹脂４３として適するものである。
【００５７】
なお、上述においては、本発光装置の筐体凹部１１には、ＬＥＤ発光光に励起し、それと異なる波長で発光する波長変換材料１２を適用した例について説明してきた。しかしながら、波長変換材料１２を持たずに、凹部表面をＬＥＤ発光波長に対し高反射特性を有する高反射材料で構成することによっても、ＬＥＤ光をそのまま広く発光させる発光装置を実現することができる。
【００５８】
この場合、ＬＥＤ波長の範囲や種類は、特に特定されるものではなく、例えば、ＲＧＢなど複数種類のＬＥＤを発光源として用いることができる。例えば、図４に示したリフレクタ４１ａ内部の３つのＬＥＤチップ４２を、それぞれＲＧＢの３種類のＬＥＤで構成し、適当な調光比で駆動することで、色可変可能かつ調光可能な発光装置を実現することもできる。この際、ＬＥＤ熱の放熱効果や光出力安定性は、これまで説明した発光装置の構成と同様の構成により、良好な特性として得ることができる。また、使用ＬＥＤを赤外線ＬＥＤとして、例えば暗視空間の撮像用発光源として構成することも可能である。
【００５９】
以上のように、実施の形態１によれば、筐体上端部から筐体凹部へ向けてＬＥＤ発光を行う反射型構成の発光装置において、フレキシブル基板を用いてＬＥＤモジュール基板に電源供給するとともに、フレキシブル基板を介さずにＬＥＤモジュール基板を筐体と面接触させた構成とすることにより、放熱効果を高めた発光装置を得ることができる。これにより、ＬＥＤへ安定した電源供給を行うことができ、安定した光出力が得られるとともに、ＬＥＤチップ温度自体の温度上昇を抑制することができる。また、特にＬＥＤが短波長ＬＥＤの場合、発光表面に短波長成分カット機能を有する短波長カットシートやフィルタを装着することで、筺体凹部内で波長変換しきれなかった波長成分（例えば紫外〜近紫外成分）をカットし、生体および被照明体への悪影響を排除しつつ、特に照明用途として実用上の課題となる防虫効果も得ることができる。
【００６０】
この結果、ＬＥＤ発光効率を高く維持することができるとともに、長寿命化を実現できる。さらに、温度上昇による発光波長シフトも抑制することができるため、筐体凹部内で波長変換される光の光色変化も抑制することができる。したがって、大光束化や小型化に対応した光安定性のある光質の良好な発光装置を実現することができる。
【００６１】
実施の形態２．
本実施の形態２では、実際に試作したＬＥＤパッケージ基板４０（図４参照）と、その発光装置への適用性および効果について説明を加える。先の図４の例における本装置のＬＥＤパッケージ基板４０は、その各々のリフレクタ４１ａ内に３個のＬＥＤチップ４２を具備するとともに、異なるリフレクタ間の５個のそれぞれのＬＥＤチップ４２を電気的に直列連結する３つの直列ラインで構成されている。
【００６２】
この場合の駆動（点灯）は、ＬＥＤパッケージ基板４０に、発光装置筐体内外を問わず、各直列ラインに制限チップ抵抗５１を直列接続し、それに電圧印加、または定電流を流すことによって行う。このような構成にすることで、複数ＬＥＤの順電圧のばらつきによらず、各接続ラインにほぼ等しい順電流を流すことができるため、各ＬＥＤチップ４２とも安定した光出力を得ることが可能である。
【００６３】
また、ＬＥＤパッケージ基板４０中に複数の直列ラインを構成することで、あるラインのＬＥＤチップ４２がオープンモードで故障した場合にも、その他のラインのＬＥＤチップ４２は、消灯することがなく、ＬＥＤが突然故障を来たした際にも、パッケージが全消灯してしまうといった不具合を避けることが可能となる。なお、本構成は、大光束出力を実現するためにＬＥＤ実装数をさらに多くした場合にも、同様に、光出力安定化および突然の全消灯防止の効果を得ることができる。
【００６４】
また、前述したとおり、ＬＥＤパッケージ基板４０を用いて試作した発光装置においては、装置内部にＬＥＤパッケージ基板４０のそれぞれの直列ラインに対する制限チップ抵抗５１を備えており、それらの制限チップ抵抗５１は、フレキシブル基板５０上に回路部品として実装するように構成される。このような構成により、本発光装置は、装置の駆動用として外部電源（乾電池を含む）を用意することだけで、簡単に安定した動作を得ることが可能である。
【００６５】
また、本実施の形態２における第１の実装例としては、このようなＬＥＤパッケージ基板４０として、５個のキャビティのそれぞれに実装される３個のＬＥＤチップ４２を、先の図４（ｄ）のように、各リフレクタ４１ａ内で発光装置開口面（図２（ｂ）における表面透過板１４が設けられた面）側から見て、上から下へ直線上に３個並べる構成として、基板デザインを行い実装した。より具体的には、この図４（ｄ）の配列は、ＬＥＤチップ４２の発光方向においてＬＥＤパッケージ基板４０と対向する筐体凹部１１の表面に対して、ＬＥＤチップ４２を上下方向に配列したものに相当する。
【００６６】
リフレクタ４１ａ内のこのようなＬＥＤ配置構成により、ＬＥＤパッケージ基板４０の配光は、凹面に沿う方向で、広い配光とすることができる。したがって、ＬＥＤパッケージ基板４０を適用した発光装置においては、筐体凹部１１の湾曲面に沿った方向（すなわち、ＬＥＤチップの配列方向と同じ方向）で、広くＬＥＤ光を照射することが可能となる。
【００６７】
図１０は、本発明の実施の形態２における第１の実装例によるＬＥＤパッケージ基板を用いた発光装置の断面図である。これにより、筐体凹部１１を、照射むらを少なくして照射することが可能となり、凹面に波長変換材料を有する構成の発光装置においては、凹面の広い面積全域で波長変換を行うことができる。この結果、凹面発光むらの少ない、そして発光効率の高い発光装置を得ることができる。
【００６８】
また、本実施の形態２における第２の実装例としては、このようなＬＥＤパッケージ基板４０として、先の図４（ｂ）のように、５つのリフレクタ４１ａに実装される３個のＬＥＤチップ４２を、各キャビティ内で発光装置開口面側から見て、上から下に向かい実装数が少なくなるように（逆三角形を構成するように）基板デザインを行い実装した。
【００６９】
より具体的には、この図４（ｂ）の配列は、ＬＥＤチップ４２の発光方向においてＬＥＤパッケージ基板４０と対向する筐体凹部１１の表面に対して、３つのＬＥＤチップ４２のうちの２つのＬＥＤチップ４２を左右方向に並べた上で、残りの１つのＬＥＤチップを上下方向に配列して逆三角形を構成したものに相当する。
【００７０】
図１１は、本発明の実施の形態２における第２の実装例によるＬＥＤパッケージ基板を用いた発光装置の断面図である。第２の実施例によるＬＥＤパッケージ基板４０を発光装置に組み込むことで、リフレクタ４１ａの上側へ配置したＬＥＤ発光光が、リフレクタ４１ａ内上部で反射し、直接波長変換面の底面側を照射する光の割合を大きくする方向に作用する（ＬＥＤ発光光線の様子を図１１中の矢印で示す）。
【００７１】
ここで、試作した先の図４のＬＥＤパッケージ基板４０は、リフレクタ４１ａの底面直径を２ｍｍ強、高さ約０．４ｍｍ、立ち上がり角約７０°としてデザインした。図４（ｂ）のリフレクタ４１ａ内の３個のＬＥＤチップ４２によって構成される三角形は、１辺が約０．９ｍｍ程度のおよそ正三角形になるように実装した。
【００７２】
そして、図４（ｂ）（ｄ）それぞれの構成のＬＥＤパッケージ基板を装置に組込み、出力特性を測定した。なお、ＬＥＤ（４００ｎｍ程度の近紫外線発光）は、厚み１．０〜１．５ｍｍ程度のシリコーンモールドを行い、筐体凹部１１（後述する図１３の形態）には、複数種類の蛍光体を用いた波長変換材料を敷設し、装置発光色が白色となるように調整したものである。
【００７３】
発光装置にＬＥＤパッケージ基板４０として図４（ｂ）および（ｄ）のものを組込み、駆動条件を揃えて発光特性を測定した。この結果、前者のものが後者に対し、８％ほど高い光出力を示し、キャビティ内で逆三角形となるＬＥＤ配置構成が発光効率向上に寄与する傾向にあることが認められた。
【００７４】
したがって、これと同様にして、リフレクタ４１ａ内に複数のＬＥＤチップ４２を配置する場合には、上部リフレクタ反射により凹面照明光を増やす構成、すなわち、キャビティ上側から下側に向けてＬＥＤ配置密度が少なくなるように実装配置することで、発光効率の高い発光装置を実現することができる。
【００７５】
さらに、発光効率の改善等を行うためには、筐体凹部１１の形状をさらに工夫することが考えられる。図１２は、本発明の実施の形態２における筐体凹部１１の第１の形状の説明図である。筐体凹部１１は、図１２に示したように、少なくとも光源軸に沿った凹部底面の両端が湾曲し（凹部内に角を持たず）、さらに、光源対抗面側での湾曲部の湾曲面積Ｓ２が、光源下の湾曲面積Ｓ１に対して、同等以上となるように構成する。
【００７６】
すなわち、図１２における筐体凹部１１は、筐体背面板３０に近い部分に当たる第１の湾曲部の湾曲面積がＳ１であり、筐体背面板から遠い部分に当たる第２の湾曲部の湾曲面積がＳ２であり、Ｓ１とＳ２との間に平坦部を備えることにより、凹部内に角を持たない凹部表面形状となっている。
【００７７】
一般的に、角を持つ凹面に光を照射した場合、角の近辺で光が多重反射して光損失が大きくなる傾向にある。したがって、図１２の筐体凹部１１において、特に、光照射方向に沿う方向の筐体表面には、鋭角のへこみを持たないように構成する。
【００７８】
これにより、その周辺での光多重反射による光損失を抑えることが可能となり、少なくとも極端な発光効率低下を防ぐことができる。さらに、特に、照射量の多くなるＬＥＤパッケージ基板４０の対向面側曲面（図１２中のＳ２）では、パッケージ基板直下曲面（Ｓ１）よりも曲率を小さめ（もっと緩やかな曲面）とすることで、やはり極端な光損失を抑えることが可能である。
【００７９】
また、装置筐体のＬＥＤパッケージ基板４０の取付面と垂直をなす側の凹面についても、同様に、鋭角をもたないように少しでも湾曲面を形成することが、発光効率の低下防止に貢献する。
【００８０】
また、図１３は、本発明の実施の形態２における筐体凹部１１の第２の形状の説明図である。筐体凹部１１は、図１３に示したように、開口部平面Ｐに中心を有する半円形の凹部形状として構成されている（パッケージ設置角度４５度、Ｒ１＝Ｒ２＝１０ｍｍ）。ＬＥＤパッケージは、発光装置凹部のほぼ開口部端に、凹面へ向け約４５度傾斜を持たせて配置する。
【００８１】
なお、本装置では、ＬＥＤパッケージ基板４０のリフレクタ４１ａを発光源と仮定（ＬＥＤチップ自体は、□０．３５ｍｍ程度であるが、高反射率キャビティのため、それを擬似光源と仮定）して、その直径に対して、反射面までの距離をおよそ点光源とみなせる距離として、約５倍の距離を確保した。このとき、ＬＥＤパッケージ基板４０の出力光が効率よく凹面を照射するように、パッケージ光軸（図１３におけるＢ）と凹面との交点が、およそ筐体凹部最下点（図１３におけるＰ０）から、凹部湾曲面両端部から凹部底面へ向け距離（図１３におけるｄ）が等しくなる部分（図１３におけるＰ１）までの間に位置するような構成とする。
【００８２】
パッケージ設置角度がθ＝４５度以上では、ＬＥＤ発光光のうち、直接凹面を照射せず直接発光するものの比率が大きくなり、効率よく凹部照射せず発光効率が低下する傾向にある。また、θ＝４５度以下とすると、主にパッケージ下方向の領域を照射し、逆に広い凹面を照射しきれず、また、凹部反射光をパッケージ自体が障害物となってしまい、その結果として発光効率が低下する傾向にある。
【００８３】
また、凹面上へ向かって入射した励起光（ＬＥＤ１次照射光：図１３のＬ０）の一部は、波長変換されず、その表面で正反射に近い形で反射し、１次反射成分（図１３のＬ２）となる。一方、その他の一部は、波長変換材料により拡散性を持った波長変換光（図１３のＬ１）となって放射する性質を有する。
【００８４】
したがって、凹部深さをあまり浅くする（例えば、半円ではなく半楕円にする）と、ＬＥＤ発光１次反射成分の凹部への２次照射割合（図１３のＬ２）が低くなり、波長変換効率および発光効率が低下する傾向にある。一方、反射凹面深さをあまり深くすると、逆に、凹面での反射回数が増加し光反射損失が増加するため、同様に、発効効率が低下する傾向にある。
【００８５】
また、Ｐ０〜Ｐ１の領域では、発光効率の変化が大きくないが、この領域を外れると、これも上述した設置角度と同様の作用として働き、方向によらず、発光源から遠ざかる距離が大きくなるにつれて、発光効率が低下する傾向にある。したがって、開口面積を一定のものとした場合、上述したように、凹部を半円状とし、パッケージ光源をおよそ凹部最深部付近に向けて約４５度に設置することで、安定した高い発効効率を得ることができる。
【００８６】
なお、ここでは、凹部を半円形としているが、このＲ１≒Ｒ２の条件下では、放物線形状であってもその曲率に大きな違いがなく、同じように安定した高い発光効率を得ることができる。
【００８７】
また、この図１３のような構成の発光装置において、特に発光表面面積を狭めて用いるような場合には、次のような構成とすることができる。図１４は、本発明の実施の形態２における筐体凹部１１の第３の形状の説明図であり、発光表面面積を狭めた形状に相当する。図１４における筐体凹部１１は、筐体凹部１１の最下面よりＬＥＤパッケージ基板４０対向面側（図１４における筐体凹部１１の最下面より右側の部分に相当）に、凹面からＬＥＤパッケージ基板４０対向側の発光装置開口端面へ向かう、光軸と交わらない立ち上がり平面、あるいは急峻な湾曲面の立ち上がり面として、面６１を有するように構成されている。
【００８８】
特に、装置厚さには依存しない形で、開口面積のみを小さくする場合には、凹面深さを浅くして、全凹面の湾曲性を保たせることは、前述したようなＬＥＤ発光１次反射成分の凹部への２次照射割合が低くなり、波長変換効率および結果発光効率も低下する傾向にある。
【００８９】
これに対して、２次照射の割合を高くできることが可能な、前述した半円凹面形状を基本形としてＬＥＤパッケージ基板４０と対向する反射面に急峻な立ち上がり面として面６１を設けることで、凹部の面積的にも高い波長変換率および発光効率を保つことができる傾向にある。
【００９０】
なお、光軸が立ち上がり面と交差するような構成では、光のかなりの量が立ち上がり面で正反射方向に反射する光が増加するため、ＬＥＤパッケージ基板４０付近に進み、パッケージ自身が障害となって光損失比率が増加する。そこで、このような光損失比率の増加を抑えるために、光軸と立ち上がり面とは、互いに交差しないように構成される。しかしながら、交差する状況においても、発光効率は高くはないが、発光装置としての機能を失うわけではない。
【００９１】
また、先の実施の形態１において、筐体凹面１１を形成する波長変換材料１２は、ＬＥＤチップを励起光として波長変換を行う蛍光体と、それをバインドするバインド材料（樹脂材料など）とを含むような構成で実現することを説明した。これに対して、本実施の形態２では、別の波長変換材料を用いる場合について説明する。
【００９２】
図１５〜図１８は、本発明の実施の形態２における波長変換材料の構造に関する説明図である。これらの波長変換材料は、蛍光体６２、バインド材料６３、および高反射材料６４で構成されている。ここで、図１５、図１６は、凹凸の少ない平面でバインド樹脂を形成する場合を例示している。これに対して、図１７、図１８は、図１５、図１６に比べて凹凸のある平面でバインド樹脂を形成する場合を例示している。
【００９３】
図１７、図１８における波長変換材料表面は、蛍光体６２の一部がバインド材料６３で高反射材料６４上にバインダされるように構成される。一般に、バインド樹脂も凹凸の少ない平面（例えば、図１５、図１６）で形成すると、鏡面反射成分をもち、波長変換効率は１００％ではない。このため、特に、ＬＥＤ照射光のうち波長変換に寄与しないものは、バインド材料６３の表面で正反射し、結果的に励起ＬＥＤ光色の色むらとして指向性をもって認められるような場合がある。
【００９４】
そこで、図１７、図１８のように、蛍光体６２の表面の一部でバインドするような波長変換面構成とすることにより、特に励起光に対して蛍光体６２の粒子表面が微細凹凸（例えば、数μｍ〜数十μｍ、大きくても数百μｍ程度）として機能し、励起光の反射成分を拡散させることができる。
【００９５】
これにより、励起光の指向性を少なくし、また表面反射光のうち少なくない割合の光が２次励起光として再び広く波長変換面へ入射し、一部は波長変換に寄与する。したがって、励起光の偏角発光（反射）による色むら低減や、発光装置の発光効率向上の効果を有する。
【００９６】
なお、蛍光体６２の種類によっては、その表面露出が耐候性の面から寿命に影響することがある。その場合には、例えば、直接周囲環境にさらされることがないように、蛍光体６２の表面を耐候処理し、その一部表面をバインドするような方法を用いて構成することができる。
【００９７】
また、発光色が白色の発光装置を得る目的で、波長変換材料１２に赤色蛍光体を含む複数蛍光体を混入する場合には、次のような構成とすることが考えられる。図１９は、本発明の実施の形態２における波長変換材料の別の構造に関する説明図である。この波長変換材料は、蛍光体６２として、粒径の大きい蛍光体６２ａ（例えば、赤色蛍光体）と、粒径の小さい蛍光体６２ｂで構成されている。
【００９８】
特に、近紫外線ＬＥＤ用赤色蛍光体の発光効率は、現在のところ高いといえず、白色発光を得るためのＲＧＢ配合比では、Ｒ成分が大きい傾向にある。一方、蛍光体は、粒径を大とすることで表面状態が良好となり、発光効率が向上する特性を示すことが多い。本装置構成では、波長変換を反射的に行うため、通常の透過的波長変換とは異なり、膜厚が厚くなっても構わないという構成上の利点がある。したがって、発光効率向上へ向け、蛍光体６２の大粒径化の効力を発揮させることができる。
【００９９】
ブラウン管や蛍光管など、透過的に波長変換するようなデバイスでは、通常、数μｍ〜十数μｍ程度の粒子径の蛍光体を用いることが多い。これに対して、本発光装置の一例として、赤色蛍光体のみの粒子径を他色の蛍光体よりも明らかに大きく制御した、ＲＧＢ蛍光体で構成した白色波長変換材料を試作した。
【０１００】
このような白色波長変換材料において、赤色蛍光体の粒径を１００μｍとしたものは、通常の粒径とした場合のＲＧＢ配合比をほとんど変えることなく、十数μｍの粒子径使用の場合に対して約１１％の発光効率改善効果が認められた。
【０１０１】
このように、本発光装置では、透過的に波長変換する構成の発光装置とは異なるため、大粒径の蛍光体材料の適用が可能であり、その適用により、発光効率が大きく改善する。また、蛍光体粒径が厚くなることにより、波長変換面の厚さも厚くなるが、厚みは数百μｍ程度でもその効果が十分認められ、装置本来の諸特性に悪影響することはなく、良好な方向に作用する。
【０１０２】
また、異なる粒子径の蛍光体を含む場合の波長変換材料１２は、粒径が大きいものを下層として密に配置し、その粒子間に粒径の小さい蛍光体が配置するように構成することができる。すなわち、このような構成により、均一配列する大粒子径蛍光体６２ａの隣接するもの同士で形成される凹部に、小粒子径蛍光体６２ｂを配置することができる。
【０１０３】
この結果、空間的にほぼ均一な蛍光体間比率の波長変換材料を構成することが可能になる。したがって、ランダム混合の場合に生じる粒径の異なる蛍光体の分散偏りにより生じる、波長変換材料面表面での発光色の色むらを抑えることができ、色均一性の高い面発光装置を得ることができる。
【０１０４】
また、図２０は、本発明の実施の形態２における筐体凹部１１に敷設された第１の波長変換材料の説明図である。図２０に示すように、第１の波長変換材料は、その表面に無数のディンプル（微細凹凸）を備え持つように構成される。
【０１０５】
ディンプル付き波長変換材料の効果を、次の２つの方法により試作した波長変換材料（いずれもシート状のもの）を用いて比較した。ディンプルなしの波長変換材料は、蛍光体をシリコーン中に混入させた材料で表面を平坦に形成することにより試作した。また、第１の波長変換材料であるディンプル付きのものは、ディンプルなしの波長変換材料と同じ材料を用いて表面に微細凹凸転写（凸高さ、凹凸ピッチともに１５０〜２００μｍ程度（図２０のｈ１に相当）、波長変換材料ベース厚みは、２５０〜３５０μｍ程度（図２０のｈ０に相当）とした）を行うことにより形成した。
【０１０６】
そして、このように形成されたディンプルなしの波長変換材料およびディンプル付きの波長変換材料（第１の波長変換材料）を、それぞれ先の図１３の形状の本発光装置の凹面に設置し、発光効率の測定を実施した。ここで、凹凸の寸法は、上述した赤色蛍光体の粒径（約１００μｍ）以上、すなわち、蛍光体中で最も大きい粒径の１．５倍〜２倍程度の寸法として構成した。その結果、平坦面のものに対し、ディンプル付のもので約７％程度の発光効率向上が認められた。
【０１０７】
また、表面平坦シートでは、反射励起光の出力が筐体凹部１１の凹面に沿った方向に強い指向性を示していたが、上記のような寸法で微細凹凸加工したものでは、そのような極端な色むらは認められず、反射指向性を抑える効果があることを確認した。
【０１０８】
また、発光凹面を直接見たときに、前者が励起光源の青紫色の強い映りこみが強かったのに対して、後者ではそのような映りこみがほとんど認められず、装置波長変換面（距離を離して見ると面発光源となる面）上の色むら低減にも寄与することが確認された。
【０１０９】
この効果は、波長変換面を照射するＬＥＤ１次励起光の正反射による励起発光色の色指向性を抑えながら、波長変換面微細ディンプル内側での多重反射による発光効率向上に効果を有するものといえる。ただし、凹凸寸法をあまり大きくすると、上述したＬＥＤ励起光の反射指向性や映り込みが、若干大きくなる傾向も認められた。
【０１１０】
さらに、図２１は、本発明の実施の形態２における筐体凹部１１に敷設された第２の波長変換材料の説明図であり、図２２は、本発明の実施の形態２における筐体凹部１１に敷設された第３の波長変換材料の説明図である。これらは、筐体微細凹部１１ａに波長変換材料１２を配置した構成を示している。具体的には、波長変換材料１２を敷設する筐体凹部１１に、表面が金属めっきや金属蒸着による高反射加工処理を施した複数の細かい、深さ数百μｍ程度の凹溝からなる筐体微細凹部１１ａを持たせた構造となっている。
【０１１１】
本装置は、反射的に波長変換させる構成であるので、凹面上波長変換膜の厚みに多少のばらつきがあっても、発光効率などに大きく影響することがない長所を有している。そこで、まずは、筐体微細凹部１１ａを有する形状の筐体を作製しておく。そして、流動性の高くない蛍光体入りの樹脂原液を、例えば、スキージやローラを利用して筐体凹部１１表面の筐体微細凹部１１ａに塗りつけ熱硬化させるなどの、比較的難易度の高くない製造方法によって、波長変換面を形成することが可能である。
【０１１２】
なお、筐体微細凹部１１ａは、塗りこみ方向を考慮して、例えば、ドットやストライプ上の規則性あるパタンで構成する。このように、微細凹部加工と高反射処理を施した筐体を用いて波長変換材料１２を敷設するような構成をとることにより、比較的簡単な製法により、凹部面発光を行う、発光効率のよい発光装置を得ることができる。
【０１１３】
また、波長変換材料１２の敷設量の密度（敷設密度）を変えることも可能である。図２３は、本発明の実施の形態２における筐体凹部１１に敷設される波長変換材料の敷設密度を異ならせた場合の説明図である。図２３に示すように、波長変換材料１２の筐体凹部１１の凹面上湾曲方向に沿った敷設密度が、凹面上光軸と交わる領域（図２３におけるＰ）でほぼ最小であり、その領域より装置開口端面に向かう（図２３の矢印方向）に従い大きくなるように構成する。図２３においては、筐体微細凹部１１ａの深さを変えることにより敷設密度を可変にする場合を例示しているが、例えば、筐体微細凹部１１ａの間口の大小により敷設密度を可変にすることも可能である。
【０１１４】
このような敷設密度を持たせることにより、凹面上に入射するＬＥＤ励起光の配光強度にあわせた形で波長変換密度を変えることでき、発光面（凹面）の発光均斉度を向上させた発光装置を得ることができる。
【０１１５】
より具体的には、凹面上の空間的波長変換材料の敷設密度設定は、例えば、ＬＥＤパッケージ基板４０の構成で決められる配光特性により、凹面上の各位置の放射照度を推定し、その量に逆比例するように、波長変換面の面積比を定めるようにして行うことができる。また、空間的に波長変換材料１２の面積を変える代わりに、波長変換材料１２の厚みを調整する方法で空間的波長変換効率を制御する方法でも面発光強度を均斉化することが可能である。
【０１１６】
さらに、複数の波長変換材料１２を持たせることも可能である。図２４は、本発明の実施の形態２における筐体凹部１１に複数の波長変換材料を敷設した場合の説明図である。図２４に示すように、筐体凹部１１の凹面上配置領域をいくつかに分割して、それぞれの領域に対して異なる複数の波長変換材料１２を持たせることが考えられる。
【０１１７】
あるいは、分割された領域によって蛍光体混合比の異なる同一の波長変換材料を持たせることも可能であり、さらに、両者により構成することも可能である。
【０１１８】
このような構成により、発光面に複数発光色を持つ色彩的に風変わりな、演出照明用発光装置としての機能を得ることができる。なお、この際、波長変換材料面には、複数種の蛍光体構成により、表面に文字パタンや絵パタンが浮かび上がるような構成とすれば、凹面上での演出機能を備えた発光装置とすることができる。
【図面の簡単な説明】
【０１１９】
【図１】本発明の実施の形態１における発光装置の全体構成図である。
【図２】本発明の実施の形態１における発光装置の上面図、断面図、および背面図を示したものである。
【図３】本発明の実施の形態１におけるＬＥＤパッケージ基板の構成を示す断面図である。
【図４】本発明の実施の形態１におけるＬＥＤパッケージ基板の実装例を示す図である。
【図５】本発明の実施の形態１における図４の構成を有するＬＥＤ実装基板に対応する回路構成図である。
【図６】本発明の実施の形態１におけるＬＥＤパッケージ基板へ電源供給を行うためのフレキシブル基板の構成図である。
【図７】本発明の実施の形態１におけるフレキシブル基板上に実装されたチップ抵抗５１およびＬＥＤ実装基板の配置を示す図である。
【図８】本発明の実施の形態１におけるＬＥＤ実装基板と突出部との面接触の説明図である。
【図９】本発明の実施の形態１におけるＬＥＤ実装基板と突出部との面接触の別の説明図である。
【図１０】本発明の実施の形態２における第１の実装例によるＬＥＤパッケージ基板を用いた発光装置の断面図である。
【図１１】本発明の実施の形態２における第２の実装例によるＬＥＤパッケージ基板を用いた発光装置の断面図である。
【図１２】本発明の実施の形態２における筐体凹部の第１の形状の説明図である。
【図１３】本発明の実施の形態２における筐体凹部の第２の形状の説明図である。
【図１４】本発明の実施の形態２における筐体凹部の第３の形状の説明図である。
【図１５】本発明の実施の形態２における波長変換材料の構造に関する説明図である。
【図１６】本発明の実施の形態２における波長変換材料の構造に関する説明図である。
【図１７】本発明の実施の形態２における波長変換材料の構造に関する説明図である。
【図１８】本発明の実施の形態２における波長変換材料の構造に関する説明図である。
【図１９】本発明の実施の形態２における波長変換材料の別の構造に関する説明図である。
【図２０】本発明の実施の形態２における筐体凹部に敷設された第１の波長変換材料の説明図である。
【図２１】本発明の実施の形態２における筐体凹部に敷設された第２の波長変換材料の説明図である。
【図２２】本発明の実施の形態２における筐体凹部に敷設された第３の波長変換材料の説明図である。
【図２３】本発明の実施の形態２における波長変換材料の敷設密度を異ならせた筐体凹部の形状の説明図である。
【図２４】本発明の実施の形態２における筐体凹部に複数の波長変換材料を敷設した場合の説明図である。
【符号の説明】
【０１２０】
１０  筐体本体、１１  筐体凹部、１１ａ  筐体微細凹部、１２  波長変換材料、１３  止め口、１４  表面透過板、１５  ＬＥＤパッケージ基板固定部、２０  側板、３０  筐体背面板、３１  突出部、３２  開口部、３３  止め具、４０  ＬＥＤパッケージ基板、４１  ＬＥＤ実装基板、４１ａ  リフレクタ、４１ｂ  表面導電パタン、４１ｃ  電気接続部、４１ｄ  背面導電パタン、４２  ＬＥＤチップ、４３  封止樹脂、５０  フレキシブル基板、５１  チップ抵抗（回路部品）、５２  電源端子、５３  回路導電パタン、５４  ソケット、６０  熱伝導性両面接着シール（熱伝導性材料）、６１  面、６２  蛍光体、６２ａ  蛍光体（粒径大）、６２ｂ  蛍光体（粒径小）６３  バインド材料、６４  高反射性材料。
【図１】
2007273972.tif 000003
【図２】
2007273972.tif 000004
【図３】
2007273972.tif 000005
【図４】
2007273972.tif 000006
【図５】
2007273972.tif 000007
【図６】
2007273972.tif 000008
【図７】
2007273972.tif 000009
【図８】
2007273972.tif 000010
【図９】
2007273972.tif 000011
【図１０】
2007273972.tif 000012
【図１１】
2007273972.tif 000013
【図１２】
2007273972.tif 000014
【図１３】
2007273972.tif 000015
【図１４】
2007273972.tif 000016
【図１５】
2007273972.tif 000017
【図１６】
2007273972.tif 000018
【図１７】
2007273972.tif 000019
【図１８】
2007273972.tif 000020
【図１９】
2007273972.tif 000021
【図２０】
2007273972.tif 000022
【図２１】
2007273972.tif 000023
【図２２】
2007273972.tif 000024
【図２３】
2007273972.tif 000025
【図２４】
2007273972.tif 000026